(57)【要約】【課題】  設置スペースが小さく、円滑なたたみ込みが可能なスライドスクリーンを提供すること。【解決手段】  ハンガーレール２には端部ランナー３，４及び、該端部ランナー３，４の間に位置する連結ランナー５〜７が配設されている。ハンガーレール２には前レール部２ａ及び後レール部２ｂに亘って配設された各ランナーにてキャリア１３ａ〜１３ｄが吊下支持されており、該キャリア１３ａ〜１３ｄには貼着板が取着されている。貼着板には面ファスナーが取着されており、該面ファスナーにはカーテン生地が貼着されている。各ランナーはキャリア１３ａ〜１３ｄを水平方向に回転可能に吊下支持しており、キャリア１３ａ〜１３ｄをカーテン生地の後端側で支持するランナーは、ストッパ１５〜２２の範囲内でキャリア１３ａ〜１３ｄをカーテン生地に沿って相対移動可能に吊下支持している。【選択図】      図２
2005095412.tif 000002
【特許請求の範囲】
【請求項１】
１条のハンガーレールと、
前記ハンガーレール内を移動可能な複数のランナーと、
前記ランナーを介して前記ハンガーレールに吊下支持される複数のキャリアと、
前記キャリアから吊下支持されるカーテン生地とを備え、
前記ランナーは隣り合うキャリアの先端側と後端側を共通のランナーで支持するとともに、該先端側及び後端側を水平方向に回動可能に支持し、
前記キャリアの先端側及び後端側の少なくとも一方を前記ランナーに移動可能に支持したことを特徴とするスライドスクリーン。
【請求項２】
前記キャリアは先端側及び後端側の一方を前記ランナーに移動可能に支持し、
前記各キャリアには該キャリアに対し移動するランナーの移動範囲を規定するストッパを設けたことを特徴とする請求項１に記載のスライドスクリーン。
【請求項３】
前記キャリアの後端側を、前記ランナーに移動可能に支持したことを特徴とする請求項１又は２に記載のスライドスクリーン。
【請求項４】
前記ランナーは前記ハンガーレール内を移動する上部ローラと、
前記上部ローラを軸支するランナー本体と、
前記ランナー本体に取着され、水平方向に独立して回動可能な複数の吊下部と、
前記吊下部に軸支され、前記キャリアを支持する下部ローラと
を備えたことを特徴とする請求項１〜３の何れか一項に記載のスライドスクリーン。
【請求項５】
前記ハンガーレールの先端及び後端に配設されるランナーは、吊下部を１つのみ備えることを特徴とする請求項４に記載のスライドスクリーン。
【発明の詳細な説明】
【技術分野】
【０００１】
本発明は、スライドスクリーンに関するものである。
【背景技術】
【０００２】
従来、スライドスクリーンにおいては、カーテン生地を引き出した際に、隣り合うカーテン生地との間に重なりを持たせるため、１枚若しくは２枚のカーテン生地を吊下する毎に１条のハンガーレールを必要としていた。そのため、例えば４枚のカーテン生地を吊下してスライドスクリーンを構成する際には、４条若しくは２条のハンガーレールによってカーテン生地を吊下する必要があった。このように、スライドスクリーンを構成するハンガーレールの数はカーテン生地の枚数に応じて決定されており、カーテン生地の枚数が増加すればするほどハンガーレールの数が増加し、スライドスクリーンを設置するために必要となるスペースが大きくなるという問題点があった。
【０００３】
そこで、カーテン生地をハンガーレールに対して垂直方向から見て僅かに傾斜させて吊下支持することで、カーテン生地の枚数に関係なく１条若しくは２条のハンガーレールにてスライドスクリーンを開閉可能に構成されたものが提案されている（例えば、特許文献１参照）。詳述すると、特許文献１に記載のスライドスクリーンは各カーテン生地が互いに平行に吊下されたままハンガーレールに沿って移動するように、該カーテン生地上端部の所定の２箇所がランナーにて吊下支持されている。このように構成されたスライドスクリーンは、カーテン生地をハンガーレールに沿って順次重ね合わせるように移動させることでたたみ込みが行われていた。
【特許文献１】実公平１−７８３０号公報
【発明の開示】
【発明が解決しようとする課題】
【０００４】
ところが、特許文献１に記載のスライドスクリーンでは、先頭のカーテン生地を操作して後続のカーテン生地を順次たたみ込み方向に押し込むことでたたみ込みが行われるが、ハンガーレールに対する各カーテン生地の傾斜が僅かであるため、カーテン生地を押し込む力は主にハンガーレールに直交する方向に向かって働いていた。従って、ハンガーレールに直交する方向に向かって働く力によって、ランナーとハンガーレールとの間に摩擦力が発生するとともに、カーテン生地を吊下支持するキャリアにたたみ込み方向への力が効率よく伝達されないことによりスライドスクリーンを円滑にたたみ込むことができないという問題点があった。
【０００５】
本発明は上記問題点を解決するためになされたものであって、その目的は設置スペースが小さく、円滑なたたみ込みが可能なスライドスクリーンを提供することにある。
【課題を解決するための手段】
【０００６】
上記目的を達成するため、請求項１に記載の発明は、１条のハンガーレールと、前記ハンガーレール内を移動可能な複数のランナーと、前記ランナーを介して前記ハンガーレールに吊下支持される複数のキャリアと、前記キャリアから吊下支持されるカーテン生地とを備え、前記ランナーは隣り合うキャリアの先端側と後端側を共通のランナーで支持するとともに、該先端側及び後端側を水平方向に回動可能に支持し、前記キャリアの先端側及び後端側の少なくとも一方を前記ランナーに移動可能に支持した。
【０００７】
請求項２に記載の発明は、請求項１に記載の発明において、前記キャリアは先端側及び後端側の一方を前記ランナーに移動可能に支持し、前記各キャリアには該キャリアに対し移動するランナーの移動範囲を規定するストッパを設けた。
【０００８】
請求項３に記載の発明は、請求項１又は２に記載の発明において、前記キャリアの後端側を、前記ランナーに移動可能に支持した。
請求項４に記載の発明は、請求項１〜３の何れかに記載の発明において、前記ランナーは前記ハンガーレール内を移動する上部ローラと、前記上部ローラを軸支するランナー本体と、前記本体部に取着され、水平方向に独立して回動可能な複数の吊下部と、前記吊下部に軸支され、前記キャリアを支持する下部ローラとを備えた。
【０００９】
請求項５に記載の発明は、請求項４に記載の発明において、前記ハンガーレールの先端及び後端に配設されるランナーは、吊下部を１つのみ備える。
【発明の効果】
【００１０】
本発明によれば、設置スペースが小さく、円滑なたたみ込みが可能なスライドスクリーンを提供することができる。
【発明を実施するための最良の形態】
【００１１】
以下、本発明を具体化した一実施形態を図１〜図６に従って説明する。
図１に示すスライドスクリーンは、４枚のカーテン生地１ａ〜１ｄがハンガーレール２に沿って移動可能に吊下支持されている。
【００１２】
図２及び図４に示すように、前記ハンガーレール２は中央に１条の溝を備えており、該溝の両側に前レール部２ａと後レール部２ｂとを備えている。ハンガーレール２には、端部ランナー３，４と、両端部ランナー３，４の間に位置する連結ランナー５〜７とが配設されている。
【００１３】
図３（ａ）に示すように、端部ランナー３，４は前レール部２ａ或いは後レール部２ｂのみで支持される片持ち構造をなしており、ランナー本体８に上部ローラ９が軸支されている。ランナー本体８の下部には吊下部１０が水平方向に回転可能に取着されている。吊下部１０には下部ローラ１１が軸支されている。
【００１４】
図３（ｂ）に示すように、連結ランナー５〜７は前レール部２ａ及び後レール部２ｂの両側で支持される両持ち構造をなしており、ランナー本体１２に一対の上部ローラ９が軸支されている。ランナー本体１２の下部には吊下部１０が２つ、ともに水平方向に独立して回転可能に取着されている。吊下部１０には下部ローラ１１が軸支されている。
【００１５】
このように形成された端部ランナー３，４及び連結ランナー５〜７は上部ローラ９にてハンガーレール２内を長手方向に移動可能に支持されている。尚、端部ランナー３は、前レール部２ａ内を所定位置まで移動された後、図示しないストッパにて前レール部２ａに対して移動不能となっている。
【００１６】
図４に示すように、下部ローラ１１にはキャリア１３ａ〜１３ｄが組み付けられている。キャリア１３ａ〜１３ｄは、下部ローラ１１が回転することで、該下部ローラ１１に対して相対移動可能である。キャリア１３ａ〜１３ｄは断面略コ字状に形成されており、該キャリア１３ａ〜１３ｄの側面には貼着板１３ｅがそれぞれ取着されている。
【００１７】
貼着板１３ｅの室内側（図２において下側）の側面には長手方向全体に亘って面ファスナー１４が取着されており、該面ファスナー１４にはカーテン生地１ａ〜１ｄが貼着されている。即ち、各キャリア１３ａ〜１３ｄにはカーテン生地１ａ〜１ｄが貼着板１３ｅ及び面ファスナー１４を介して吊下支持されている。このように組み付けられたキャリア１３ａ〜１３ｄは、図２に示すように、それぞれ２つのランナーの下部ローラ１１に支持されている。
【００１８】
具体的にはキャリア１３ａは端部ランナー４の下部ローラ１１と連結ランナー７の室内側（図２において下側）の下部ローラ１１に、キャリア１３ｂは連結ランナー７の窓側（図２において上側）の下部ローラ１１と連結ランナー６の室内側の下部ローラ１１に吊下支持されている。また、キャリア１３ｃは連結ランナー６の窓側の下部ローラ１１と連結ランナー５の室内側の下部ローラ１１とに、キャリア１３ｄは連結ランナー５の窓側の下部ローラ１１と端部ランナー３の下部ローラ１１に吊下支持されている。
【００１９】
後レール部２ｂ側に配設された下部ローラ１１、具体的には端部ランナー４及び連結ランナー５〜７の窓側に配設された下部ローラ１１は図示しないストッパにて各キャリア１３ａ〜１３ｄに対して移動不能となるように固定されている。
【００２０】
一方、前レール部２ａ側に配設された下部ローラ１１、具体的には端部ランナー３及び連結ランナー５〜７の室内側に配設された下部ローラ１１は、各キャリア１３ａ〜１３ｄの先端及び後端近傍位置に取着されたストッパ１５〜２２の範囲内を各キャリア１３ａ〜１３ｄに沿って移動可能となっている。尚、ここでいう先端とは図２において各キャリア１３ａ〜１３ｄの右端とし、後端とは同図において各キャリア１３ａ〜１３ｄの左端とする。
【００２１】
次に、上記のように構成されたスライドスクリーンの引き出し状態について説明する。
図１及び図２は、各カーテン生地１ａ〜１ｄをハンガーレール２に沿って引き出した状態を示す。この状態では、各キャリア１３ａ〜１３ｄ及び各カーテン生地１ａ〜１ｄの端部がそれぞれハンガーレール２に沿って隣り合うキャリア及びカーテン生地の端部に重なり合うように設定されている。
【００２２】
キャリア１３ｄに固定されたストッパ１５は前レール部２ａに固定された端部ランナー３に当接しており、これ以上キャリア１３ｄが引き出し方向（図２において右方向）に移動することが防止されている。従って、キャリア１３ｄに相対移動不能に連結された連結ランナー５も引き出し方向への移動が防止される。
【００２３】
同様に、キャリア１３ｃは連結ランナー５にストッパ１７が当接することで、キャリア１３ｂは連結ランナー６にストッパ１９が当接することで、キャリア１３ａは連結ランナー７にストッパ２１が当接することで引き出し方向への移動が防止される。このように、各キャリア１３ａ〜１３ｄは最大の引き出し位置が設定されており、最終的にはカーテン生地１ａの全閉位置が決定される。
【００２４】
次に、上述したスライドスクリーンの引き出し状態から該スライドスクリーンをたたみ込む際の動作を説明する。
図２に示す状態からスライドスクリーンのたたみ込み操作を行うためには、先ず先頭のカーテン生地１ａを操作してキャリア１３ａをたたみ込み方向（図２において左方向）に移動させる。
【００２５】
図２に示す状態からキャリア１３ａがたたみ込み方向に移動されると、該キャリア１３ａは端部に固定された端部ランナー４とともにたたみ込み方向に移動する。この際、キャリア１３ａは連結ランナー７の室内側（図２において下側）の下部ローラ１１に、移動可能に支持されているため、キャリア１３ａがたたみ込み方向に移動しても連結ランナー７の位置はハンガーレール２に対して変化せず、キャリア１３ａ及び端部ランナー４の位置のみがたたみ込み方向に移動される。
【００２６】
この際、吊下部１０はランナー本体８，１２に対して水平方向に回転可能に取着されているため、端部ランナー４と連結ランナー７との間隔が小さくなるにつれて、図５に示すように、ハンガーレール２とキャリア１３ａとの挟み角が徐々に大きくなる。
【００２７】
このように端部ランナー４がたたみ込み方向に移動し、ストッパ２２が連結ランナー７に当接すると、以後、キャリア１３ａをたたみ込み方向に操作する力はストッパ２２を介して連結ランナー７に伝達され、該連結ランナー７をたたみ込み方向に操作する力となる。
【００２８】
上記のようにして連結ランナー７がたたみ込み方向に移動されると、該連結ランナー７の窓側（図２、図５及び図６において上側）の吊下部１０に固定されたキャリア１３ｂは連結ランナー７とともにたたみ込み方向に移動する。この際、キャリア１３ｂは連結ランナー６の室内側の下部ローラ１１に、移動可能に支持されているため、キャリア１３ｂがたたみ込み方向に移動しても連結ランナー６の位置はハンガーレール２に対して変化せず、キャリア１３ｂ及び連結ランナー７の位置のみがたたみ込み方向に移動される。
【００２９】
この際、吊下部１０はランナー本体１２に対して水平方向に回転可能に取着されているため、連結ランナー６及び連結ランナー７の相対位置が徐々に近付くと、前述したのと同様、ハンガーレール２とキャリア１３ｂとの間の挟み角がそれに応じて徐々に大きくなる。
【００３０】
このように連結ランナー７がたたみ込み方向に移動し、ストッパ２０が連結ランナー６に当接すると、以後、キャリア１３ｂをたたみ込み方向に操作する力はストッパ２０を介して連結ランナー６に伝達され、該連結ランナー６をたたみ込み方向に操作する力となる。
【００３１】
以下同様に、連結ランナー６がたたみ込み方向に移動されると、ストッパ１８と連結ランナー５との距離が小さくなり、ストッパ１８が連結ランナー５に当接した後は、カーテン生地１ｃをたたみ込み方向に操作する力はストッパ１８を介して連結ランナー５に伝達され、該連結ランナー５をたたみ込み方向に操作する力となる。
【００３２】
そして、最終的には連結ランナー５がたたみ込み方向に移動され、ストッパ１６と端部ランナー３とが当接する。そして、ストッパ１６と端部ランナー３とが当接すると、該端部ランナー３は前レール部２ａに固定されているため、これ以上キャリア１３ａ〜１３ｄ及び該キャリア１３ａ〜１３ｄに貼着されたカーテン生地１ａ〜１ｄをたたみ込み方向に移動させることができず、図６に示すようにスライドスクリーンは完全にたたみ込まれた状態となる。
【００３３】
スライドスクリーンを完全にたたみ込んだ状態においては、各キャリア１３ａ〜１３ｄ及び該キャリア１３ａ〜１３ｄに貼着されたカーテン生地１ａ〜１ｄはハンガーレール２にとの間に形成される角度が最も大きくなるとともに、互いのカーテン生地１ａ〜１ｄが平行となる。尚、各カーテン生地１ａ〜１ｄとハンガーレール２との間の挟み角は、各キャリア１３ａ〜１３ｄの先端側に取着されたストッパ１６，１８，２０，２２の位置によって決定されている。従って、ストッパ１６，１８，２０，２２の位置が各キャリア１３ａ〜１３ｄ上で、先端に近付くほどたたみ込み時のキャリア１３ａ〜１３ｄとハンガーレール２との間の挟み角が大きくなる。
【００３４】
以上記述したように、本実施の形態によれば、以下の効果を奏する。
（１）キャリア１３ａ〜１３ｄ及び該キャリア１３ａ〜１３ｄに吊下支持されたカーテン生地１ａ〜１ｄは、連結ランナー５〜７及びストッパ１５〜２２によって引き出し及びたたみ込み操作のための操作力を伝達可能となっている。従って、先頭のカーテン生地１ａ或いはキャリア１３ａを操作することで、後続のカーテン生地１ｂ〜１ｄ及びキャリア１３ｂ〜１３ｄの引き出し操作及びたたみ込み操作を行うことができる。
【００３５】
（２）キャリア１３ａ〜１３ｄは、窓側及び室内側の２箇所に下部ローラ１１を備えた連結ランナー５〜７を用いてハンガーレール２に対して垂直方向から見て傾きを持たせて吊下支持されている。そのため、該キャリア１３ａ〜１３ｄに吊下支持されたカーテン生地１ａ〜１ｄもハンガーレール２に対して垂直方向から見て傾きを持たせて吊下支持することができ、カーテン生地１ａ〜１ｄがほぼ重なった状態に収納することができる。従って、全開時の開口面積を大きくすることができる。
【００３６】
（３）キャリア１３ａ〜１３ｄは、窓側及び室内側の２箇所に下部ローラ１１を備えた連結ランナー５〜７を用いてハンガーレール２に対して垂直方向から見て傾きを持たせて吊下支持されている。従って、１条のハンガーレール２にて複数のキャリア及びカーテン生地を吊下支持することができ、ハンガーレール２を複数設置することによるスライドスクリーンの設置スペースの増加を抑制することができる。
【００３７】
（４）各キャリア１３ａ〜１３ｄはランナー本体８，１２に対し水平方向に回転可能且つ相対移動可能となるように吊下支持されている。そのため、キャリア１３ａ〜１３ｄ及びカーテン生地１ａ〜１ｄをたたみ込み方向に操作する際に、ハンガーレール２に対してキャリア及びカーテン生地の傾斜を大きくしてたたみ込み方向（図２、図５及び図６において左方向）に隣り合うキャリア及びカーテン生地にたたみ込み方向の操作力を伝達することができる。従って、たたみ込み操作を行う力がハンガーレール２に直交する方向に分散されることが抑制され、効率よく力を伝達することでキャリア及びカーテン生地を円滑にたたみ込むことができる。
【００３８】
（５）各キャリア１３ａ〜１３ｄ及びカーテン生地１ａ〜１ｄはたたみ込み時にハンガーレール２との挟み角を大きくして片側に収納されている。従って、キャリア１３ａ〜１３ｄ及びカーテン生地１ａ〜１ｄをスライドスクリーンの端部に集約して収納することができ、スライドスクリーンの開度を大きくすることができる。
【００３９】
（６）各キャリア１３ａ〜１３ｄ及び各カーテン生地１ａ〜１ｄをたたみ込む際、その操作力はストッパを介して直接ランナーに伝達される。従って、ランナーに操作力を効率よく伝達することができ、各キャリア１３ａ〜１３ｄ及び各カーテン生地１ａ〜１ｄのたたみ込みを円滑に行うことができる。
【００４０】
（７）キャリア１３ａ〜１３ｄは、後端側を支持するランナーに対して移動可能に支持されているため、スライドスクリーンのたたみ込み時において、キャリア１３ａ〜１３ｄ及びカーテン生地１ａ〜１ｄは室内側に突出する。従って、たたみ込み時にキャリア１３ａ〜１３ｄ及びカーテン生地１ａ〜１ｄが窓に干渉することがなく各キャリア１３ａ〜１３ｄ及び各カーテン生地１ａ〜１ｄのたたみ込みを円滑に行うことができる。
【００４１】
尚、上記実施の形態は、以下の態様で実施してもよい。
・上記実施の形態においては、スライドスクリーンはカーテン生地１ａ〜１ｄを片側（図２において左側）に収納する片開きのものであったが、ハンガーレールの中央から両側端部に向かって開操作を行う両開きのスライドスクリーンであってもよい。
【００４２】
・上記実施の形態においては、スライドスクリーンを４枚のカーテン生地１ａ〜１ｄにて構成したが、カーテン生地の枚数は適宜変更してもよい。
・上記実施の形態においては、カーテン生地１ａ〜１ｄのたたみ込みを行う際に、該操作力をストッパ１６，１８，２０，２２を介して連結ランナー５〜７に伝達したが、ストッパ１６，１８，２０，２２を取着せずに、引き出し側のランナーにて直接たたみ込み側のランナーにたたみ込みの操作力を伝達するようにしてもよい。
【図面の簡単な説明】
【００４３】
【図１】スライドスクリーンの概略図。
【図２】スライドスクリーン引き出し時の上面図。
【図３】（ａ）は端部ランナーの斜視図、（ｂ）は連結ランナーの斜視図。
【図４】スライドスクリーンの側面図。
【図５】スライドスクリーンたたみ込み操作途中の上面図。
【図６】スライドスクリーンたたみ込み時の上面図。
【符号の説明】
【００４４】
１ａ〜１ｄ…カーテン生地、２…ハンガーレール、３，４端部ランナー、５〜７…連結ランナー、８，１２…ランナー本体、９…上部ローラ、１０…吊下部、１１…下部ローラ、１３ａ〜１３ｄ…キャリア、１５〜２２…ストッパ。
【図１】
2005095412.tif 000003
【図２】
2005095412.tif 000004
【図３】
2005095412.tif 000005
【図４】
2005095412.tif 000006
【図５】
2005095412.tif 000007
【図６】
2005095412.tif 000008